(57)【要約】【課題】奥行き感のある立体的な画像を表示することができる表示装置を提供する。【解決手段】複数の画素がマトリックス状に配列した画面領域２を有する画像表示パネル１の観察側に、前記表示パネル１の画面を細分した複数の微小領域のうち、１つ置きの複数の微小領域に対応する部分にそれぞれ、前記画像光を表示の観察方向の予め定めた位置に結像させる長焦点マイクロレンズ６が形成され、これらの第１のマイクロレンズ６の間の部分にそれぞれ、前記表示パネル１から出射した画像光を、前記第１の位置よりも表示パネル側の予め定めた第２の位置に結像させる短焦点マイクロレンズ７が形成されたマイクロレンズアレイ５を配置した。【選択図】図１
2007298762.tif 000002
【特許請求の範囲】
【請求項１】
複数の画素がマトリックス状に配列された画面領域を有する画像表示パネルと、
前記表示パネルの観察側に配置され、前記表示パネルの画面を細分した複数の微小領域のうち、１つ置きの複数の微小領域にそれぞれ対応させて配列され、前記微小領域を透過した画像光による画像を表示の観察方向の予め定めた位置に結像させる複数のマイクロレンズが形成されたマイクロレンズアレイと、
を備えたことを特徴とする表示装置。
【請求項２】
マイクロレンズアレイのマイクロレンズは、表示パネルの画面を行方向及び列方向に細分した複数の微小領域のうち、前記行方向の１つ置きの複数の微小領域と前記列方向の１つ置きの複数の微小領域にそれぞれ対応する部分に形成されていることを特徴とする請求項１に記載の表示装置。
【請求項３】
マイクロレンズアレイは、表示パネルの画面を細分した複数の微小領域のうち、１つ置きの複数の微小領域に対応する部分にそれぞれ形成され、前記微小領域から出射した画像光による画像を表示の観察方向の予め定めた第１の位置に結像させる複数の第１のマイクロレンズと、これらの第１のマイクロレンズの間の部分にそれぞれ形成され、前記微小領域とは異なる他の微小領域から出射した画像光による画像を、表示の観察方向の前記第１の位置とは異なる第２の位置に結像させる複数の第２のマイクロレンズとを有していることを特徴とする請求項１または２に記載の表示装置。
【請求項４】
マイクロレンズアレイは、表示パネルの画面を細分した複数の微小領域のうち、１つ置きの複数の微小領域に対応する部分にそれぞれ形成され、前記微小領域から出射した画像光による画像を表示の観察方向の予め定めた位置に結像させる複数のマイクロレンズと、これらのマイクロレンズの間の部分にそれぞれ形成された複数の非レンズ部とを有していることを特徴とする請求項１または２に記載の表示装置。
【発明の詳細な説明】
【技術分野】
【０００１】
この発明は、立体的な画像を表示する表示装置に関する。
【背景技術】
【０００２】
表示装置として、液晶層を挟んで対向する一対の基板の対向する内面のうち、一方の基板の内面に、予め定めた形状の複数の主セグメント電極と、これらの主セグメント電極の半周の縁部に隣接させてその縁部の輪郭形状に形成された複数の副セグメント電極とを設け、他方の基板の内面に、前記複数の主セグメント電極及び副セグメント電極に対向するコモン電極を設けた液晶表示パネルを備え、前記液晶表示パネルに、前記主セグメント電極の形状に対応する主表示パターンと、前記副セグメント電極の形状に対応する副表示パターン（主表示パターンの半周に沿う影のような輪郭パターン）とからなる、前記副表示パターンにより厚みを表現した図形、つまり、厚みのある形状物を斜め方向から見たような図形を表示させるようにしたものがある（特許文献１参照）。
【特許文献１】特開２００１−２０１７５５号公報
【発明の開示】
【発明が解決しようとする課題】
【０００３】
しかし、上記従来の表示装置の表示は、奥行き感の無い平面的な表示である。
【０００４】
この発明は、奥行き感のある立体的な画像を表示することができる表示装置を提供することを目的としたものである。
【課題を解決するための手段】
【０００５】
この発明の表示装置は、複数の画素がマトリックス状に配列された画面領域を有する画像表示パネルと、前記表示パネルの観察側に配置され、前記表示パネルの画面を細分した複数の微小領域のうち、１つ置きの複数の微小領域にそれぞれ対応させて配列され、前記微小領域を透過した画像光による画像を表示の観察方向の予め定めた位置に結像させる複数のマイクロレンズが形成されたマイクロレンズアレイとを備えたことを特徴とする。
【０００６】
この発明の表示装置において、前記マイクロレンズアレイの複数のマイクロレンズは、前記表示パネルの画面を行方向及び列方向に細分した複数の微小領域のうち、前記行方向の１つ置きの複数の微小領域と前記列方向の１つ置きの複数の微小領域にそれぞれ対応する部分に形成されているのが望ましい。
【０００７】
また、前記マイクロレンズアレイは、前記表示パネルの画面を細分した複数の微小領域のうち、１つ置きの複数の微小領域に対応する部分にそれぞれ形成され、前記微小領域から出射した画像光による画像を表示の観察方向の予め定めた第１の位置に結像させる複数の第１のマイクロレンズと、これらの第１のマイクロレンズの間の部分にそれぞれ形成され、前記微小領域とは異なる他の微小領域から出射した画像光による画像を、表示の観察方向の前記第１の位置とは異なる第２の位置に結像させる複数の第２のマイクロレンズとを有しているのが好ましい。
【０００８】
或いは、前記マイクロレンズアレイは、前記表示パネルの画面を細分した複数の微小領域のうち、１つ置きの複数の微小領域に対応する部分にそれぞれ形成され、前記微小領域から出射した画像光による画像を表示の観察方向の予め定めた位置に結像させる複数のマイクロレンズと、これらのマイクロレンズの間の部分にそれぞれ形成された複数の非レンズ部とを有しているのが好ましい。
【発明の効果】
【０００９】
この発明の表示装置は、画像表示パネルの観察側に、前記表示パネルから出射した画像光を透過させ、且つ、前記表示パネルの画面を細分した複数の微小領域のうち、１つ置きの複数の微小領域に対応する部分にそれぞれ、前記画像光を表示の観察方向の予め定めた位置に結像させるマイクロレンズが形成されたマイクロレンズアレイを配置しているため、前記表示パネルの画面のうち、前記マイクロレンズアレイの複数のマイクロレンズにそれぞれ対応する複数の微小領域を透過した光が、前記複数のマイクロレンズにより前記観察方向の予め定めた位置に結像して表示される画像と、前記表示パネルの画面の他の領域、つまり前記マイクロレンズアレイの前記複数のマイクロレンズ間の部分にそれぞれ対応する複数の微小領域を透過した光により表示された画像との前記観察方向の位置が異なって見える。
【００１０】
そのため、この表示装置によれば、前記観察方向の近くに見える画像と、それよりも遠くに見える画像とが重なった、奥行き感のある立体的な画像を表示することができる。
【００１１】
この発明の表示装置において、前記マイクロレンズアレイの複数のマイクロレンズは、前記表示パネルの画面を行方向及び列方向に細分した複数の微小領域のうち、前記行方向の１つ置きの複数の微小領域と前記列方向の１つ置きの複数の微小領域にそれぞれ対応する部分に形成されているのが望ましく、このようにすることにより、むらの無い高品質の立体的な画像を表示することができる。
【００１２】
また、前記マイクロレンズアレイは、前記表示パネルの画面を細分した複数の微小領域のうち、１つ置きの複数の微小領域に対応する部分にそれぞれ形成され、前記表示パネルから出射した画像光を表示の観察方向の予め定めた第１の位置に結像させる複数の第１のマイクロレンズと、これらの第１のマイクロレンズの間の部分にそれぞれ形成され、前記表示パネルから出射した画像光を、前記第１の位置よりも前記表示パネル側の予め定めた第２の位置に結像させる複数の第２のマイクロレンズとを有しているのが好ましく、このようにすることにより、前記マイクロレンズアレイの第１のマイクロレンズによる画像光の結像位置と第２のマイクロレンズによる画像光の結像位置との間の距離に対応した奥行き感のある立体的な画像を表示することができる。
【００１３】
或いは、前記マイクロレンズアレイは、前記表示パネルの画面を細分した複数の微小領域のうち、１つ置きの複数の微小領域に対応する部分にそれぞれ形成され、前記表示パネルから出射した画像光を表示の観察方向の予め定めた位置に結像させる複数のマイクロレンズと、これらのマイクロレンズの間の部分にそれぞれ形成された複数の非レンズ部とを有しているのが好ましく、このようにすることにより、前記マイクロレンズアレイの各マイクロレンズによる画像光の結像位置と前記表示パネルの画面との間の距離に対応した奥行き感のある立体的な画像を表示することができる。
【発明を実施するための最良の形態】
【００１４】
図１〜図３はこの発明の第１の実施例を示しており、図１は表示装置の斜視図、図２は前記表示装置の画像表示パネルとマイクロレンズアレイの一部分の拡大斜視図、図３は前記表示装置の出射光線図である。
【００１５】
この表示装置は、図１に示すように、複数の画素がマトリックス状に配列した画面領域２を有する画像表示パネル１と、前記表示パネル１の観察側に配置されたマイクロレンズアレイ５とを備えている。
【００１６】
前記画像表示パネル１は、例えばアクティブマトリックス型の液晶表示パネルであり、図では簡略化しているが、予め定めた間隙を設けて対向配置され、周縁部において画面領域２を囲む枠状のシール材を対して接合された一対の透明基板間に液晶層が封入され、前記一対の基板の互いに対向する内面の一方に、行方向（画面の左右方向）及び列方向（画面の上下方向）にマトリックス状に配列された複数の画素電極と、これらの画素電極にそれぞれ接続された複数のＴＦＴ（薄膜トランジスタ）と、各行のＴＦＴにゲート信号を供給する複数の走査線と、各列のＴＦＴに画像データ信号を供給する複数の信号線とが設けられ、他方の基板の内面に、前記各列の画素電極にそれぞれ対応させてストライプ状に形成された赤、緑、青の３色のカラーフィルタと、これらのカラーフィルタ覆って形成され、前記複数の画素電極と対向する一枚膜状の対向電極が設けられた構成となっている。
【００１７】
図２において、３Ｒは赤色カラーフィルタが設けられた赤色画素、３Ｇは緑色カラーフィルタが設けられた緑色画素、３Ｂは青色カラーフィルタが設けられた青色画素を示しており、これらの画素３Ｒ，３Ｇ，３Ｂは、前記列方向の縦幅が約６０〜９０μｍ、前行方向の横幅が約２０〜３０μｍに設定された、縦幅に対する横幅の比が実質的に１／３の縦長矩形状に形成されている。
【００１８】
そして、この実施例の表示装置では、前記液晶表示パネルからなる画像表示パネル１の観察側とは反対側に、前記表示パネル１に向けて照明光を照射する面光源４を配置している。
【００１９】
前記表示パネル１の観察側に配置されたマイクロレンズアレイ５は、前記表示パネル１から出射した画像光を透過させ、且つ、前記表示パネル１の画面を細分した複数の微小領域のうち、１つ置きの複数の微小領域に対応する部分にそれぞれ、前記画像光を表示の観察方向の予め定めた位置Ｐ１（図３参照）に結像させるマイクロレンズ６が形成された透明シートからなっている。
【００２０】
この実施例で用いたマイクロレンズアレイ５は、前記表示パネル１の画面を細分した複数の微小領域のうち、１つ置きの複数の微小領域に対応する部分にそれぞれ形成され、前記表示パネル１から出射した画像光を前記表示の観察方向の予め定めた第１の位置Ｐ１に結像させる複数の第１のマイクロレンズ６と、これらの第１のマイクロレンズ６の間の部分、つまり前記表示パネル１の画面を細分した複数の微小領域のうち、他の１つ置きの複数の微小領域に対応する部分にそれぞれ形成され、前記表示パネル１から出射した画像光を、前記第１の位置Ｐ１よりも前記表示パネル１側の予め定めた第２の位置Ｐ２（図３参照）に結像させる複数の第２のマイクロレンズ７とを有している。
【００２１】
すなわち、このマイクロレンズアレイ５は、前記複数の第１のマイクロレンズ６と、この第１のマイクロレンズ６よりも焦点距離が短い複数の第２のマイクロレンズ７とを交互に並べて形成したものである。以下、前記第１のマイクロレンズ６を長焦点マイクロレンズ、前記第２のマイクロレンズ７を短焦点マイクロレンズという。
【００２２】
前記複数の長焦点マイクロレンズ６及び短焦点マイクロレンズ７はそれぞれ、前記表示パネル１の予め定めた数の画素からなる微小領域、例えば、赤、緑、青の３色の画素３Ｒ，３Ｇ，３Ｂを同数ずつ含む２行６列の計１２個の画素からなる、縦横のサイズがそれぞれ約１２０〜１８０μｍの略正方形状の微小領域に対応する平面形状を有する凸レンズからなっている。なお、図に示した長焦点マイクロレンズ６及び短焦点マイクロレンズ７は片凸レンズであるが、これらのマイクロレンズ６，７は、両凸レンズでもよい。
【００２３】
そして、前記複数の長焦点マイクロレンズ６は、前記表示パネル１の画面を前記１２個の画素毎に行方向及び列方向に細分した略正方形状の複数の微小領域のうち、前記行方向の１つ置きの複数の微小領域と前記列方向の１つ置きの複数の微小領域にそれぞれ対応する部分に形成され、前記複数の短焦点マイクロレンズ７は、前記表示パネル１の画面を行方向及び列方向に細分した複数の微小領域のうち、前記行方向の他の１つ置きの複数の微小領域と前記列方向の他の１つ置きの複数の微小領域にそれぞれ対応する部分に形成されている。
【００２４】
すなわち、前記複数の長焦点マイクロレンズ６は市松状に配列し、前記複数の短焦点マイクロレンズ７は、前記長焦点マイクロレンズ６に対して行方向及び列方向に１ピッチずつずれた市松状に配列している。
【００２５】
この表示装置は、前記表示パネル１の観察側に、前記表示パネル１の画面を細分した複数の微小領域のうち、１つ置きの複数の微小領域に対応する部分にそれぞれ形成され、前記表示パネル１から出射した画像光を表示の観察方向の予め定めた第１の位置Ｐ１に結像させる複数の長焦点マイクロレンズ６と、これらの長焦点マイクロレンズ６の間の部分（表示パネル１の画面を細分した複数の微小領域のうち、他の１つ置きの複数の微小領域に対応する部分）にそれぞれ形成され、前記表示パネル１から出射した画像光を、前記第１の位置Ｐ１よりも前記表示パネル１側の予め定めた第２の位置Ｐ２に結像させる複数の短焦点マイクロレンズ７とを有するマイクロレンズアレイ５を配置しているため、前記表示パネル１の画面のうち、前記マイクロレンズアレイ５の複数の長焦点マイクロレンズ６にそれぞれ対応する複数の微小領域を透過した光が、前記複数の長焦点マイクロレンズ６により前記観察方向の予め定めた第１の位置Ｐ１に結像して表示される画像が、前記表示パネル１の画面の他の領域、つまり、前記マイクロレンズアレイ５の前記複数の長焦点マイクロレンズの間に形成された複数の短焦点マイクロレンズ７にそれぞれ対応する複数の微小領域を透過した光が前記短焦点マイクロレンズ７により結像されて表示される画像よりも、前記観察方向の近くに見える。
【００２６】
すなわち、この表示装置は、前記表示パネル１の観察側に前記マイクロレンズアレイ５を配置しているため、前記表示パネル１の画面領域２のうち、前記マイクロレンズアレイ５の複数の長焦点マイクロレンズ６にそれぞれ対応する複数の微小領域から出射した光ａ１が、図３に矢線で示したように、前記複数の長焦点マイクロレンズ６により、前記観察方向の予め定めた第１の位置Ｐ１に結像し、前記表示パネル１の画面領域２のうち、前記マイクロレンズアレイ５の各短焦点マイクロレンズ７にそれぞれ対応する複数の微小領域から出射した光ａ２が、図３に矢線で示したように、前記各短焦点マイクロレンズ７により、前記第１の位置Ｐ１よりも前記表示パネル１側の予め定めた第２の位置Ｐ２に結像する。
【００２７】
そのため、この表示装置の表示を観察方向から見ると、前記表示パネル１の画面のうち、前記マイクロレンズアレイ５の各長焦点マイクロレンズ６にそれぞれ対応する複数の微小領域により表示された画像の実像Ａ１が、観察方向に近い第１の位置Ｐ１に見え、前記表示パネル１の画面の他の領域、つまり前記マイクロレンズアレイ５の各短焦点マイクロレンズ７にそれぞれ対応する複数の微小領域により表示された画像の実像Ａ２が、前記第１の位置Ｐ１よりも前記表示パネル１側の第２の位置Ｐ２に見える。
【００２８】
なお、前記第１の位置Ｐ１に見える画像（第１の位置Ｐ１に結像した実像）Ａ１は、前記表示パネル１の表示画像のうちの前記マイクロレンズアレイ５の各長焦点マイクロレンズ６にそれぞれ対応する複数の微小領域により表示された画像であり、前記第２の位置Ｐ２に見える画像（第２の位置Ｐ２に結像した実像）Ａ２は、前記表示パネル１の表示画像のうちの前記マイクロレンズアレイ５の各短焦点マイクロレンズ７にそれぞれ対応する複数の微小領域により表示された画像であるため、これらの２つの画像Ａ１，Ａ２は実質的に同じパターンの画像である。
【００２９】
したがって、この表示装置によれば、前記観察方向の近くに見える画像Ａ１と、それよりも遠くに見える画像Ａ２とが重なって観察され、前記マイクロレンズアレイ５の各長焦点マイクロレンズ６による画像光の結像位置Ｐ１と各短焦点マイクロレンズ７による画像光の結像位置Ｐ２との間の距離Ｌ１に対応した奥行き感のある立体的な画像を表示することができる。
【００３０】
また、上記実施例の表示装置は、前記表示パネル１の画面を行方向及び列方向に細分した複数の微小領域のうち、前記行方向の１つ置きの複数の微小領域と前記列方向の１つ置きの複数の微小領域にそれぞれ対応する部分に複数の長焦点マイクロレンズ６を形成し、これらの第１のマイクロレンズの間の部分にそれぞれ複数の短焦点マイクロレンズ７を形成したマイクロレンズアレイ５を備えているため、むらの無い高品質の立体的な画像を表示することができる。
【００３１】
すなわち、前記マイクロレンズアレイ５の複数の長焦点マイクロレンズ６と短焦点マイクロレンズ７は、一方の方向（例えば前記表示パネル１の画面の行方向または列方向）に沿ったストライプ状に形成してもよい。
【００３２】
しかし、その場合は、前記第１の位置Ｐ１と第２の位置Ｐ２にそれぞれ結像した２つの画像Ａ１，Ａ２中に、ストライプ状の各長焦点マイクロレンズ間の部分及び各短焦点マイクロレンズ間の部分に対応した平行線状の影が生じ、その影が、前記２つの画像Ａ１，Ａ２の重なりにより表示される立体的な画像の品質に影響する。
【００３３】
それに対して、上記実施例で用いたマイクロレンズアレイ５は、複数の長焦点マイクロレンズ６を、前記表示パネル１の画面を行方向及び列方向に細分した複数の微小領域のうち、前記行方向の１つ置きの複数の微小領域と前記列方向の１つ置きの複数の微小領域にそれぞれ対応させて市松状に配列し、これらの第１のマイクロレンズの間の部分に、複数の短焦点マイクロレンズ７を、前記長焦点マイクロレンズ６に対して行方向及び列方向に１ピッチずつずれた市松状に配列したものであるため、前記第１の位置Ｐ１と第２の位置Ｐ２にそれぞれ結像した２つの画像Ａ１，Ａ２中に生じる影は、目立たない不連続の影であり、したがって、むらの無い高品質の立体的な画像を表示することができる。
【００３４】
図４及び図５はこの発明の第２の実施例を示しており、図４は表示装置の斜視図、図５は前記表示装置の出射光線図である。
【００３５】
なお、この実施例の表示装置は、液晶表示パネルからなる画像表示パネル１の観察側に、前記第１の実施例とは異なるマイクロレンズアレイ８を配置したものであり、他の構成は前記第１の実施例の表示装置と同じであるから、重複する説明は図に同符号を付して省略する。
【００３６】
この実施例で用いたマイクロレンズアレイ８は、前記表示パネル１の画面を細分した複数の微小領域のうち、１つ置きの複数の微小領域に対応する部分にそれぞれ形成され、前記表示パネル１から出射した画像光を表示の観察方向の予め定めた位置Ｐ（図５参照）に結像させる複数のマイクロレンズ９と、これらのマイクロレンズ９の間の部分（表示パネル１の画面を細分した複数の微小領域のうち、他の１つ置きの複数の微小領域に対応する部分）にそれぞれ形成された複数の非レンズ部１０とを有している。
【００３７】
このマイクロレンズアレイ８の複数のマイクロレンズ９は、前記表示パネル１の予め定めた数の画素からなる微小領域、例えば、赤、緑、青の３色の画素３Ｒ，３Ｇ，３Ｂを同数ずつ含む２行６列の計１２個の画素からなる、縦横のサイズがそれぞれ約１２０〜１８０μｍの略正方形状の微小領域に対応する平面形状を有する凸レンズからなっている。なお、図に示したマイクロレンズ９は片凸レンズであるが、このマイクロレンズ９は、両凸レンズでもよい。
【００３８】
また、前記マイクロレンズアレイ８の複数の非レンズ部１０は、前記マイクロレンズ９の平面形状と同じ平面形状を有し、且つ、前記表示パネル１に対向する面と観察方向に対向する面とが互いに平行な平坦面に形成された平板状部からなっている。
【００３９】
そして、前記複数のマイクロレンズ９は、前記表示パネル１の画面を前記１２個の画素毎に行方向及び列方向に細分した略正方形状の複数の微小領域のうち、前記行方向の１つ置きの複数の微小領域と前記列方向の１つ置きの複数の微小領域にそれぞれ対応する部分に形成され、前記複数の非レンズ部１０は、前記表示パネル１の画面を行方向及び列方向に細分した複数の微小領域のうち、前記行方向の他の１つ置きの複数の微小領域と前記列方向の他の１つ置きの複数の微小領域にそれぞれ対応する部分に形成されている。
【００４０】
すなわち、前記複数のマイクロレンズ９は市松状に配列し、前記複数の非レンズ部１０は、前記マイクロレンズ９に対して行方向及び列方向に１ピッチずつずれた市松状に配列している。
【００４１】
この表示装置は、前記表示パネル１の観察側に、前記表示パネル１の画面を細分した複数の微小領域のうち、１つ置きの複数の微小領域に対応する部分にそれぞれ形成され、前記表示パネル１から出射した画像光を表示の観察方向の予め定めた位置Ｐに結像させる複数のマイクロレンズ９と、これらのマイクロレンズ９の間の部分にそれぞれ形成された複数の非レンズ部１０とを有するマイクロレンズアレイ５を配置しているため、前記表示パネル１の画面領域２のうち、前記マイクロレンズアレイ８の複数のマイクロレンズ９にそれぞれ対応する複数の微小領域から出射した光ｂ１が、図５に矢線で示したように、前記複数のマイクロレンズ９により、前記観察方向の予め定めた位置Ｐに結像し、前記表示パネル１の画面領域２のうち、前記マイクロレンズアレイ８の各非レンズ部１０にそれぞれ対応する複数の微小領域から出射した光Ｂ２が、図５に矢線で示したように、前記各非レンズ部１０を透過する。
【００４２】
そのため、この表示装置の表示を観察方向から見ると、前記表示パネル１の画面のうち、前記マイクロレンズアレイ８の各マイクロレンズ９にそれぞれ対応する複数の微小領域により表示された画像の実像Ｂ１が、前記表示パネル１の画面よりも観察方向に近い位置Ｐに見え、前記表示パネル１の画面の他の領域、つまり前記マイクロレンズアレイ８の各非レンズ部１０にそれぞれ対応する複数の微小領域により表示された画像Ｂ２が、前記表示パネル１の画面上に見える。
【００４３】
したがって、この表示装置によれば、前記観察方向の近くに見える画像（表示の観察方向の予め定めた位置Ｐに結像した実像）Ｂ１と、それよりも遠くに見える画像Ｂ２とが重なって観察され、前記マイクロレンズアレイ８の各マイクロレンズ９による画像光の結像位置Ｐと前記表示パネル１の画面との間の距離Ｌ２に対応した奥行き感のある立体的な画像を表示することができる。
【００４４】
また、この実施例の表示装置は、前記表示パネル１の画面を行方向及び列方向に細分した複数の微小領域のうち、前記行方向の１つ置きの複数の微小領域と前記列方向の１つ置きの複数の微小領域にそれぞれ対応する部分に複数のマイクロレンズ９を形成し、これらのマイクロレンズ９の間の部分にそれぞれ複数の非レンズ部１０を形成したマイクロレンズアレイ８を備えているため、前記結像位置Ｐに結像した画像Ｂ１中に生じる前記各マイクロレンズ９の間の部分に対応した影と、前記表示パネル１の画面上に見える前記各非レンズ部１０の間の部分に対応した影はいずれも、目立たない不連続の影であり、したがって、むらの無い高品質の立体的な画像を表示することができる。
【００４５】
なお、上記第１及び第２の実施例の表示装置は、液晶表示パネルからなる画像表示パネルを備えたものであるが、画像表示パネルは、液晶表示パネルに限らず、例えばＥＬ（エレクトロルミネッセンス）表示パネル等の自発光型表示パネルでもよく、その場合は、上記実施例で備えた面光源４は不要である。
【図面の簡単な説明】
【００４６】
【図１】この発明の第１の実施例を示す表示装置の斜視図。
【図２】第１の実施例の表示装置の画像表示パネルとマイクロレンズアレイの一部分の拡大斜視図。
【図３】第１の実施例の表示装置の出射光線図。
【図４】この発明の第２の実施例を示す表示装置の斜視図。
【図５】第２の実施例の表示装置の出射光線図。
【符号の説明】
【００４７】
１…画像表示パネル（液晶表示パネル）、２…画面領域、３Ｒ，３Ｇ，３Ｂ…画素、４…面光源、５…マイクロレンズアレイ、６…長焦点マイクロレンズ（第１のマイクロレンズ）、７…短焦点マイクロレンズ（第２のマイクロレンズ）、８…マイクロレンズアレイ、９…マイクロレンズ、１０…非レンズ部。
【図１】
2007298762.tif 000003
【図２】
2007298762.tif 000004
【図３】
2007298762.tif 000005
【図４】
2007298762.tif 000006
【図５】
2007298762.tif 000007